(57)【要約】      （修正有）【課題】ヒンジの軸やステー金具をなくして美観を向上させるとともに、左右の棚受け金具を連動して容易に棚板を折り畳めるようにした棚受け金具を提供すること。【解決手段】壁側に固定される角筒状の縦金具１と、棚板側に固定される角筒状の横金具２とを備え、縦金具１の上部に、横金具２の基部を挿入する窓部３と、この窓部３の下部を支点として挿入した横金具２の基部を支持しかつ基部と掛合することにより抜け止めをなす上部壁４を形成するとともに、横金具２の基部に、横金具２を所要引き出した状態で窓部３の下部に外嵌し、横金具２を下方に揺動可能に支持する鉤状の掛片５を設け、かつ外嵌した掛片５の上方への抜けを防止する舌状片６を縦金具１から突設する。【選択図】図１
2008073084.tif 000002
【特許請求の範囲】
【請求項１】
壁側に固定される角筒状の縦金具と、棚板側に固定される角筒状の横金具とを備えた棚受け金具において、縦金具の上部に、横金具の基部を挿入する窓部と、該窓部の下部を支点として挿入した横金具の基部を支持しかつ該基部と掛合することにより抜け止めをなす上部壁とを形成するとともに、横金具の基部に、横金具を所要引き出した状態で窓部の下部に外嵌し、横金具を下方に揺動可能に支持する鉤状の掛片を設け、かつ外嵌した掛片の上方への抜けを防止する舌状片を縦金具から突設したことを特徴とする棚受け金具。
【請求項２】
縦金具の上部壁と横金具の基部との掛合を、縦金具の上部壁に形成した掛止凸部と、横金具基部の後端壁とにより行うようにしたことを特徴とする請求項１記載の棚受け金具。
【請求項３】
取付用のすべてのねじが外から見えないように目隠しされた状態で取り付けられるようにしたことを特徴とする請求項１又は２記載の棚受け金具。
【発明の詳細な説明】
【技術分野】
【０００１】
本発明は、棚板を下方に揺動させて折り畳むようにした棚受け金具に関し、特に、ヒンジの軸やステー金具をなくして美観を向上させるとともに、左右の棚受け金具を連動して容易に棚板を折り畳めるようにした棚受け金具に関するものである。
【背景技術】
【０００２】
従来、例えば、ノートパソコンを使用したりするために、使用時は棚の形態をなし、使用しないときには折り畳めるようにした折り畳み式の棚が提案され、実用化されている。
【０００３】
このうち、棚板を下方に揺動させることにより折り畳むようにした棚があるが、このような折り畳み式の棚の棚受け金具としては、棚板を壁側に固定するヒンジ状の金具と、棚板の下方で、ヒンジ状金具の１対の揺動片の間に筋交い状に渡されたステー金具とを備えたものが知られている。
ステー金具は、中間部で２つ折り可能に枢着されており、該ステー金具を２つに折り畳むことにより棚板は下方に揺動して折り畳まれる。
【０００４】
ところで、上記従来の棚受け金具は、ヒンジ状の金具とステー金具とによって構成されているため、棚の横からヒンジの軸やステー金具が見えたりして、美観を損ねるという問題があった。
また、ステー金具を折り畳むときには、通常２箇所設けられる棚受け金具において、各々のステー金具に固定解除の操作を施す必要があった。
【発明の開示】
【発明が解決しようとする課題】
【０００５】
本発明は、上記従来の棚受け金具が有する問題点に鑑み、ヒンジの軸やステー金具をなくして美観を向上させるとともに、左右の棚受け金具を連動して容易に棚板を折り畳めるようにした棚受け金具を提供することを目的とする。
【課題を解決するための手段】
【０００６】
上記目的を達成するため、本発明の棚受け金具は、壁側に固定される角筒状の縦金具と、棚板側に固定される角筒状の横金具とを備えた棚受け金具において、縦金具の上部に、横金具の基部を挿入する窓部と、該窓部の下部を支点として挿入した横金具の基部を支持しかつ該基部と掛合することにより抜け止めをなす上部壁とを形成するとともに、横金具の基部に、横金具を所要引き出した状態で窓部の下部に外嵌し、横金具を下方に揺動可能に支持する鉤状の掛片を設け、かつ外嵌した掛片の上方への抜けを防止する舌状片を縦金具から突設したことを特徴とする。
【０００７】
この場合において、縦金具の上部壁と横金具の基部との掛合を、縦金具の上部壁に形成した掛止凸部と、横金具基部の後端壁とにより行うようにすることができる。
【０００８】
また、取付用のすべてのねじが外から見えないように目隠しされた状態で取り付けられるようにすることができる。
【発明の効果】
【０００９】
本発明の棚受け金具によれば、壁側に固定される角筒状の縦金具と、棚板側に固定される角筒状の横金具とを備えた棚受け金具において、縦金具の上部に、横金具の基部を挿入する窓部と、該窓部の下部を支点として挿入した横金具の基部を支持しかつ該基部と掛合することにより抜け止めをなす上部壁とを形成するとともに、横金具の基部に、横金具を所要引き出した状態で窓部の下部に外嵌し、横金具を下方に揺動可能に支持する鉤状の掛片を設け、かつ外嵌した掛片の上方への抜けを防止する舌状片を縦金具から突設することから、ヒンジ金具やステー金具がなくても、棚板を固定したり折り畳んだりすることができ、これにより、ヒンジの軸やステー金具をなくして美観を向上させるとともに、棚板を持ち上げて引き出すことにより、左右の棚受け金具を連動して容易に棚板を折り畳むことができる。
【００１０】
この場合、縦金具の上部壁と横金具の基部との掛合を、縦金具の上部壁に形成した掛止凸部と、横金具基部の後端壁とで行うことにより、簡易な構造で縦金具と横金具を確実に掛合することができる。
【００１１】
また、取付用のすべてのねじが外から見えないように目隠しされた状態で取り付けられるようにすることにより、美観を一層向上させることができる。
【発明を実施するための最良の形態】
【００１２】
以下、本発明の棚受け金具の実施の形態を、図面に基づいて説明する。
【実施例１】
【００１３】
図１〜図５に、本発明の棚受け金具の一実施例を示す。
この棚受け金具は、壁側に固定される角筒状の縦金具１と、棚板（図示省略）側に固定される角筒状の横金具２とを備えている。
そして、この棚受け金具は、縦金具１の上部に、横金具２の基部を挿入する窓部３を形成するとともに、該窓部３の下部３ａを支点として挿入した横金具２の基部を支持しかつ該基部と掛合することにより抜け止めをなす上部壁４を形成している。
さらに、この棚受け金具は、横金具２の基部に、横金具２を所要引き出した状態で窓部３の下部３ａに外嵌し、横金具２を下方に揺動可能に支持する鉤状の掛片５を設けるとともに、この外嵌した掛片５の上方への抜けを防止する舌状片６を縦金具１から突設している。
【００１４】
縦金具１は、図３に示すように、鋼板を折り曲げて形成した角筒状をなし、部屋や机、家具などで壁となるほぼ垂直の壁面に、ねじ孔７を介して木ねじ等により固定される。
縦金具１の窓部３には、図４（ｄ）〜（ｈ）に示すように、コ字状のストッパ金具８が挿入され、溶接部８１を溶着することにより縦金具１の上部壁４に固定されている。
ストッパ金具８の上部には、奥行き方向に漸次高くなるガイド傾斜を有する掛止凸部８２が設けられており、本実施例では、縦金具１の上部壁４と横金具２の基部との掛合を、この掛止凸部８２と、横金具２基部の後端壁９１とにより行うようにしている。
また、ストッパ金具８の下部にはかしめ部８３が設けられており、該かしめ部８３には、図４（ａ）〜（ｃ）に示すように、Ｌ字型に形成した舌状片６がかしめ固定される。
なお、縦金具１の下部は斜めに開口しているが、図示省略するカバーを装着することにより、ねじ孔７に取り付けた木ねじ等は目隠しされる。同様に、上部のねじ孔７に取り付けた木ねじ等は、棚の使用時は横金具２、棚折り畳み時には棚板によって目隠しされる。
【００１５】
横金具２は、図２（ｅ）〜（ｈ）に示すように、鋼板を折り曲げて形成した角筒状をなし、棚板の下面にねじ孔７及び図２（ｉ）〜（ｊ）に示すねじ孔７を設けた補助金具７Ａを介して木ねじ等により固定される。
横金具２には、図２（ａ）〜（ｄ）に示すように、一回り細く形成した基部片９が挿入され、かしめ部２１をかしめることにより一体に固定されている。
基部片９には、前記した鉤状の掛片５と、縦金具１の掛止凸部８２に掛合する後端壁９１とが形成されている。
この細く形成した基部片９を、縦金具１の窓部３に挿入することにより、同じ太さに形成した縦金具１と横金具２を印籠継ぎのように段差なく接続することができる。
なお、横金具２の先端部は斜めに開口しているが、図示省略するカバーを装着することにより、ねじ孔７に取り付けた木ねじ等は目隠しされる。
【００１６】
次に、本実施例の棚受け金具の使用方法を説明する。
棚板（図示省略）を使用状態から折り畳むときには、図５（ａ）に示すように、棚板を介して横金具２を少し持ち上げると、図１に示す状態から、縦金具１の掛止凸部８２から横金具２の後端壁９１が外れる。
棚板を持ち上げる際には、後端壁９１の下端が舌状片６の折り曲げ片６１に当接するが、この当接によって、後端壁９１と掛止凸部８２の掛合が外れる角度まで持ち上げたことを確認することができる。
【００１７】
縦金具１の掛止凸部８２から横金具２の後端壁９１が外れると、図５（ｂ）に示すように、棚板を介して横金具２を所要引き出すことにより、鉤状の掛片５が横金具２の窓部３の下部３ａに当接し、その位置でストップがかかる。
【００１８】
そして、棚板を介して横金具２を下に降ろすと、図５（ｃ）に示すように、掛片５が窓部３の下部３ａに外嵌し、棚板を揺動可能に支持する。
これにより、棚板は、横金具２を介して下方に揺動し、縦金具１と平行になるように折り畳まれる。
【００１９】
かくして、本実施例の棚受け金具は、壁側に固定される角筒状の縦金具１と、棚板側に固定される角筒状の横金具２とを備えた棚受け金具において、縦金具１の上部に、横金具２の基部を挿入する窓部３と、該窓部３の下部３ａを支点として挿入した横金具２の基部を支持しかつ該基部と掛合することにより抜け止めをなす上部壁４とを形成するとともに、横金具２の基部に、横金具２を所要引き出した状態で窓部３の下部３ａに外嵌し、横金具２を下方に揺動可能に支持する鉤状の掛片５を設け、かつ外嵌した掛片５の上方への抜けを防止する舌状片６を縦金具１から突設することから、ヒンジ金具やステー金具がなくても、棚板を固定したり折り畳んだりすることができ、これにより、ヒンジの軸やステー金具をなくして美観を向上させるとともに、棚板を持ち上げて引き出すことにより、左右の棚受け金具を連動して容易に棚板を折り畳むことができる。
【００２０】
この場合、縦金具１の上部壁４と横金具２の基部との掛合を、縦金具１の上部壁４に形成した掛止凸部８２と、横金具基部の後端壁９１とで行うことにより、簡易な構造で縦金具１と横金具２を確実に掛合することができる。
【００２１】
また、取付用のすべての木ねじ等が外から見えないように目隠しされた状態で取り付けられるようにすることにより、美観を一層向上させることができる。
【００２２】
以上、本発明の棚受け金具について、その実施例に基づいて説明したが、本発明は上記実施例に記載した構成に限定されるものではなく、その趣旨を逸脱しない範囲において適宜その構成を変更することができる。
【産業上の利用可能性】
【００２３】
本発明の棚受け金具は、ヒンジの軸やステー金具をなくして美観を向上させるとともに、左右の棚受け金具を連動して容易に棚板を折り畳めるという特性を有していることから、棚板を下方に揺動させて折り畳むようにした棚受け金具の用途に広く好適に用いることができる。
【図面の簡単な説明】
【００２４】
【図１】本発明の棚受け金具の一実施例を示し、（ａ）はその断面図、（ｂ）は同平面図、（ｃ）は同左側面図、（ｄ）は横金具の右側面図、（ｅ）は縦金具の底面図である。
【図２】横金具を示し、（ａ）は基部片の断面図、（ｂ）は同平面図、（ｃ）は同左側面図、（ｄ）は同右側面図、（ｅ）は横金具本体の平面図、（ｆ）は同側面図、（ｇ）は同底面図、（ｈ）は同左側面図、（ｉ）は補助金具の平面図、（ｊ）は同側面図である。
【図３】縦金具を示し、（ａ）はその正面図、（ｂ）は同側面図、（ｃ）は同背面図、（ｄ）は同平面図である。
【図４】縦金具の一部を示し、（ａ）は舌状片の平面図、（ｂ）は同正面図、（ｃ）は同左側面図、（ｄ）はストッパ金具の平面図、（ｅ）は同断面側面図、（ｆ）は同底面図、（ｇ）は同左側面図、（ｈ）は同右側面図である。
【図５】同棚受け金具の動作を示し、（ａ）は横金具を持ち上げた状態を示す断面図、（ｂ）は横金具を引いた状態を示す断面図、（ｃ）は横金具を揺動させて折り畳んだ状態を示す断面図である。
【符号の説明】
【００２５】
１    縦金具
２    横金具
２１  かしめ部
３    窓部
３ａ  窓部の下部
４    上部壁
５    掛片
６    舌状片
６１  折り曲げ片
７    ねじ孔
８    ストッパ金具
８１  溶接部
８２  掛止凸部
８３  かしめ部
９    基部片
９１  後端壁
【図１】
2008073084.tif 000003
【図２】
2008073084.tif 000004
【図３】
2008073084.tif 000005
【図４】
2008073084.tif 000006
【図５】
2008073084.tif 000007